【手続補正書】
【提出日】平成19年3月14日(2007.3.14)
【手続補正１】
【補正対象書類名】明細書
【補正対象項目名】発明の名称
【補正方法】変更
【補正の内容】
【発明の名称】表示装置
【手続補正２】
【補正対象書類名】明細書
【補正対象項目名】特許請求の範囲
【補正方法】変更
【補正の内容】
【特許請求の範囲】
【請求項１】  マトリクス状に配線された複数行分のゲートラインと複数列分の信号ラインとの交差点に複数個の画素が２次元配置されてなる表示部と、
前記表示部の各画素に前記複数列分の信号ラインを介して信号電位を与える複数のドライバ回路とを備え、
前記複数のドライバ回路のそれぞれの出力端子数を、前記複数列分の信号ラインの総本数の約数に設定する
ことを特徴とする表示装置。
【請求項２】  前記複数のドライバ回路のそれぞれの出力端子数が同じ数である
ことを特徴とする請求項１記載の表示装置。
【請求項３】  前記複数のドライバ回路のそれぞれの出力端子数が２のべき乗である
ことを特徴とする請求項１記載の表示装置。
【請求項４】  前記複数のドライバ回路は、前記表示部が形成される透明絶縁基板の外部に配されたドライバＩＣである
ことを特徴とする請求項１記載の表示装置。
【請求項５】  前記複数のドライバ回路に書き込むためのデータを一時的に記憶する記憶回路と、
前記複数のドライバ回路に対して同時に別々のデータを前記記憶回路から書き込むべく制御する制御回路と
を有することを特徴とする請求項１記載の表示装置。
【請求項６】  前記表示部に隣接する額縁部分のサイズが規定されるとき、その規定された額縁サイズのもとに、その額縁部分の配線領域に配線可能な配線数によって前記複数のドライバ回路のそれぞれの出力端子数ｎが決定される
ことを特徴とする請求項２記載の表示装置。
【請求項７】  前記ドライバ回路の個数は、表示方式によって決まる前記複数列分の信号ラインの総本数をＮとするとき、Ｎ／ｎ個に設定される
ことを特徴とする請求項６記載の表示装置。
【請求項８】  前記複数のドライバ回路の各々から出力される信号電位を時分割にて前記複数列分の信号ラインに与える時分割スイッチを有する
ことを特徴とする請求項１記載の表示装置。
【請求項９】  前記複数のドライバ回路の信号出力波形は、立ち上がり、立ち下がり共に時間軸に対して対称である
ことを特徴とする請求項８記載の表示装置。
【請求項１０】  前記時分割スイッチの時分割数が３である
ことを特徴とする請求項８記載の表示装置。
【請求項１１】  前記時分割スイッチで選択する期間は、水平走査期間の３分の１以下の期間である
ことを特徴とする請求項１０記載の表示装置。
【請求項１２】  前記複数のドライバ回路の立ち上がり時間および立ち下がり時間は、前記時分割スイッチで選択する期間以下である
ことを特徴とする請求項１１記載の表示装置。
【請求項１３】  前記時分割スイッチの選択期間の間に生じるブランキング期間は、（水平走査期間−時分割スイッチの選択期間×３）／３以下である
ことを特徴とする請求項１１記載の表示装置。
【請求項１４】  前記複数のドライバ回路は、前記ブランキング期間においてその出力回路の動作を停止する機能を持つ
ことを特徴とする請求項１３記載の表示装置。
【請求項１５】  前記複数のドライバ回路は、Ｒ（赤），Ｇ（緑），Ｇ（青）の電圧−透過率特性のカーブを補正するような信号電位を発生する
ことを特徴とする請求項１０記載の表示装置。
【請求項１６】  １Ｈ（Ｈは水平走査期間）反転駆動又は１Ｈコモン反転駆動において、前記時分割スイッチによって１番目に選択される信号ラインが青、２番目に選択される信号ラインが緑、２番目に選択される信号線が赤である
ことを特徴とする請求項１０記載の表示装置。
【請求項１７】  ドット反転駆動において、前記時分割スイッチによって１番目に選択される信号ラインが赤、２番目に選択される信号ラインが緑、２番目に選択される信号線が青である
ことを特徴とする請求項８記載の表示装置。
【請求項１８】  マトリクス状に配線された複数行分のゲートラインと複数列分の信号ラインとの交差点に複数個の画素が２次元配置されてなる表示部と、
前記表示部の各画素に前記複数列分の信号ラインを介して信号電位を与える複数のドライバ回路とを備え、
前記複数のドライバ回路をそれぞれの出力端子数を同じ数に設定して前記複数列分の信号ラインの各々と対応関係をもって順に配置する際に、前記複数列分の信号ラインに端数が出るとき、前記複数のドライバ回路のうちの１つの出力端子数を前記端数に設定する
ことを特徴とする表示装置。
【請求項１９】  前記複数のドライバ回路は、前記表示部が形成される透明絶縁基板の外部に配されたドライバＩＣである
ことを特徴とする請求項１８記載の表示装置。
【手続補正３】
【補正対象書類名】明細書
【補正対象項目名】０００１
【補正方法】変更
【補正の内容】
【０００１】
【発明の属する技術分野】
本発明は、液晶表示装置（ＬＣＤ；Liquid Crystal Display）等の表示装置に関し、特に各画素に信号電位を与えるドライバ回路を、液晶表示パネルの外部回路として設けてなるマトリクス型表示装置に関する。
【手続補正４】
【補正対象書類名】明細書
【補正対象項目名】０００８
【補正方法】変更
【補正の内容】
【０００８】
本発明は、上記課題に鑑みてなされたものであり、その目的とするところは、外部ドライバＩＣを用いる場合において、表示パネルの水平方向の狭幅化を可能とした表示装置を提供することにある。
【手続補正５】
【補正対象書類名】明細書
【補正対象項目名】０００９
【補正方法】変更
【補正の内容】
【０００９】
【課題を解決するための手段】
本発明による表示装置は、マトリクス状に配線された複数行分のゲートラインと複数列分の信号ラインとの交差点に複数個の画素が２次元配置されてなる表示部と、この表示部の各画素に複数列分の信号ラインを介して所定の電圧を与える複数のドライバ回路とを備え、この複数のドライバ回路のそれぞれの出力端子数を、複数列分の信号ラインの総本数の約数に設定する。
【手続補正６】
【補正対象書類名】明細書
【補正対象項目名】００１０
【補正方法】変更
【補正の内容】
【００１０】
上記構成の表示装置において、ドライバ回路の出力端子数を設定する際に、各々の出力端子数を信号ラインの総本数の約数に設定し、この出力端子数で決まる個数のドライバ回路を配置する。これにより、複数のドライバ回路に対して信号ラインには端数が生じない。したがって、ドライバ回路の出力端子を余らせることなく信号ラインの各々と接続することができるため、表示部には画像表示に寄与しない余分な接続領域が生じない。
【手続補正７】
【補正対象書類名】明細書
【補正対象項目名】００１１
【補正方法】変更
【補正の内容】
【００１１】
本発明による他の表示装置は、マトリクス状に配線された複数行分のゲートラインと複数列分の信号ラインとの交差点に複数個の画素が２次元配置されてなる表示部と、この表示部の各画素に複数列分の信号ラインを介して所定の電圧を与える複数のドライバ回路とを備え、この複数のドライバ回路をそれぞれの出力端子数を同じ数に設定して複数列分の信号ラインの各々と対応関係をもって順に配置する際に、複数列分の信号ラインに端数が出るとき、複数のドライバ回路のうちの１つの出力端子数を上記端数に設定する。
【手続補正８】
【補正対象書類名】明細書
【補正対象項目名】００１２
【補正方法】変更
【補正の内容】
【００１２】
上記構成の他の表示装置において、複数のドライバ回路のうちの１つの出力端子数を、信号ラインの端数に設定することで、最終的に複数のドライバ回路に対して信号ラインには端数が生じない。したがって、ドライバ回路の出力端子を余らせることなく信号ラインの各々と接続することができるため、表示部には画像表示に寄与しない余分な接続領域が生じない。
【手続補正９】
【補正対象書類名】明細書
【補正対象項目名】０１４１
【補正方法】変更
【補正の内容】
【０１４１】
【発明の効果】
以上説明したように、本発明による表示装置においては、複数のドライバ回路のそれぞれの出力端子数を、複数列分の信号ラインの総本数の約数に設定するようにしたことにより、信号ラインには端数が生じず、ドライバ回路の出力端子を余らせることなく信号ラインの各々と接続することができるため、液晶表示パネルには画像表示に寄与しない余分な接続領域が生じず、よって液晶表示パネルの水平方向の狭幅化が可能になる。
【手続補正１０】
【補正対象書類名】明細書
【補正対象項目名】０１４２
【補正方法】変更
【補正の内容】
【０１４２】
また、本発明による他の表示装置においては、複数のドライバ回路をそれぞれの出力端子数を同じ数に設定して複数列分の信号ラインの各々と対応関係をもって順に配置する際に、複数列分の信号ラインに端数が出るとき、複数のドライバ回路のうちの１つの出力端子数を上記端数に設定するようにしたことにより、ドライバ回路の出力端子を余らせることなく信号ラインの各々と接続することができるため、液晶表示パネルには画像表示に寄与しない余分な接続領域が生じず、よって液晶表示パネルの水平方向の狭幅化が可能になる。